(57)【特許請求の範囲】
【請求項１】
第１移動通信システム用信号及び第２移動通信システム用信号の双方を送受信する共用送受信装置を具備する無線基地局装置であって、
前記共用送受信装置は、
入力された第２移動通信システム用送信ベースバンド信号を、光信号から電気信号に変換するように構成されている信号変換部と、
前記信号変換部から出力された前記第２移動通信システム用送信ベースバンド信号に対する周波数変換処理を行い、第２移動通信システム用送信無線周波数信号を出力するように構成されている第２移動通信システム用送受信処理部と、
第１移動通信システム用送受信処理部から入力された第１移動通信システム用送信無線周波数信号の電力レベルを調整するように構成されている電力レベル調整部と、
前記電力レベル調整部から出力された前記第１移動通信システム用送信無線周波数信号と、前記第２移動通信システム用送受信処理部から出力された前記第２移動通信システム用送信無線周波数信号とを合成して送信無線周波数信号を生成するように構成されている合成部と、
前記合成部から出力された前記送信無線周波数信号の電力レベルを所定増幅率で増幅して出力するように構成されている共通増幅部と
を具備し、
前記第１移動通信システム用送受信処理部は、前記共用送受信装置内に設けられておらず、
前記第２移動通信システム用送受信処理部は、前記電力レベル調整部から出力される前記第１移動通信システム用送信無線周波数信号の電力レベルと等しくなるように、前記第２移動通信システム用送信無線周波数信号の電力レベルを調整するように構成されていることを特徴とする無線基地局装置。
【請求項２】
前記共用送受信装置は、前記電力レベル調整部と前記合成部との間に、第１アイソレータを具備し、前記第２移動通信システム用送受信処理部と前記合成部との間に、第２アイソレータを具備し、
前記第１アイソレータは、前記電力レベル調整部から前記合成部への方向の信号のみを通過させるように構成されており、
前記第２アイソレータは、前記第２移動通信システム用送受信処理部から前記合成部への方向の信号のみを通過させるように構成されていることを特徴とする請求項１に記載の無線基地局装置。
【請求項３】
前記共用送受信装置は、少なくとも２系統の前記第２移動通信システム用送受信処理部と前記電力レベル調整部と前記合成部と前記共通増幅部とを具備することを特徴とする請求項１または２に記載の無線基地局装置。
【発明の詳細な説明】
【技術分野】
【０００１】
本発明は、第１移動通信システム用信号及び第２移動通信システム用信号の双方を送受信する共用送受信装置を具備する無線基地局装置に関する。
【背景技術】
【０００２】
移動通信システムＡにおいて用いられる無線基地局装置１の概略構成の一例を、図９に示す。
【０００３】
図９に示すように、かかる無線基地局装置１は、移動通信システムＡ用変復調機能部ＭＤＥ-Ａと、光張出し送受信装置ＯＦ-ＴＲＸと、アンテナＡＮＴとを具備している。
【０００４】
なお、移動通信システムＡ用変復調機能部ＭＤＥ-Ａは、屋内の局舎に設置されており、アンテナＡＮＴは、屋外の高所に設置されており、光張出し送受信装置ＯＦ-ＴＲＸは、屋外のアンテナＡＮＴの直下付近に設置されているものとする。
【０００５】
また、移動通信システムＡ用変復調機能部ＭＤＥ-Ａと光張出し送受信装置ＯＦ-ＴＲＸとの間は、信号の伝播損失を抑えるために、光ファイバによって接続されている。
【０００６】
近年、上述するような１つの無線基地局装置によって、移動通信システムＡにおいてサービスを提供するだけでなく、当該移動通信システムＡで用いられている周波数帯に近い周波数帯を用いる移動通信システムＢにおいてもサービスを提供することが望まれている。
【０００７】
このように、移動通信システムＡに加えて移動通信システムＢにおいてもサービスを提供するためには、図１０に示すように、図９に示す無線基地局装置１の構成に対して、移動通信システムＢ用変復調機能部ＭＤＥ-Ｂを追加すると共に、図９に示す光張出し送受信装置ＯＦ-ＴＲＸの代わりに、移動通信システムＡ及び移動通信システムＢによって共用される共用光張出し送受信装置（以下、共用ＯＦ-ＴＲＸ）を追加することが想定されている。
【０００８】
なお、移動通信システムＢ用変復調機能部ＭＤＥ-Ｂは、屋内の局舎に設置されており、共用ＯＦ-ＴＲＸは、図９に示す光張出し送受信装置ＯＦ-ＴＲＸと同様に、屋外のアンテナＡＮＴの直下付近に設置されているものとする。
【０００９】
また、移動通信システムＡ用変復調機能部ＭＤＥ-Ａ及び移動通信システムＢ用変復調機能部ＭＤＥ-Ｂと共用ＯＦ-ＴＲＸとの間は、信号の伝播損失を抑えるために、光ファイバによって接続されている。
【特許文献１】特開２００３-１１５７９３号公報
【発明の開示】
【発明が解決しようとする課題】
【００１０】
しかしながら、上述のように、既存の無線基地局装置１によって移動通信システムＡ及び移動通信システムＢの双方においてサービスを提供するために、無線基地局装置１の構成を、図９の構成に、移動通信システムＢ用変復調機能部ＭＤＥ-Ｂを加えて、ＯＦ-ＴＲＸを共用ＯＦ-ＴＲＸに置き換える構成とする場合には、以下のような問題点があった。
【００１１】
第１に、様々な種類の光信号の形態が存在しており、また、移動通信システムＡ用送受信処理部ＴＲＸ-Ａを含む移動通信システムＡ用変復調機能部ＭＤＥ-Ａの構成も考えられることから、様々な種類の共用ＯＦ-ＴＲＸを準備する必要があるため、コスト面で問題となる。
【００１２】
第２に、共通増幅部ＰＡを、移動通信システムＢに合った性能とした場合、移動通信システムＡにおいて、移動通信システムＡが単独で運用されていたときの移動通信システムＡ用送信無線周波数信号の電力レベルを維持することができず、移動通信システムＡが単独で運用されていたときのサービスエリアを維持することができないという問題点があった。
【００１３】
第３に、共用ＯＦ-ＴＲＸにおいて受信された受信無線周波数信号が、分配部ＤＩＶによって移動通信システムＡ用受信無線周波数信号及び移動通信システムＢ用受信無線周波数信号に分配されることによって、移動通信システムＡ及び移動通信システムＢにおける受信感度が低下するという問題点があった。
【００１４】
そこで、本発明は、上述の課題に鑑みてなされたものであり、既存の無線基地局装置１によって移動通信システムＡ及び移動通信システムＢの双方においてサービスを提供する場合であっても、最低限の改修によって、上述のようなサービス品質が低下すること及び共用ＯＦ-ＴＲＸのバリエーションが増えることによるコストアップが非常に大きくなることという問題点を解決することができる無線基地局装置を提供することを目的とする。
【課題を解決するための手段】
【００１５】
本発明の第１の特徴は、第１移動通信システム用信号及び第２移動通信システム用信号の双方を送受信する共用送受信装置を具備する無線基地局装置であって、前記共用送受信装置は、入力された第２移動通信システム用送信ベースバンド信号を、光信号から電気信号に変換するように構成されている信号変換部と、前記信号変換部から出力された前記第２移動通信システム用送信ベースバンド信号に対する周波数変換処理を行い、第２移動通信システム用送信無線周波数信号を出力するように構成されている第２移動通信システム用送受信処理部と、第１移動通信システム用送受信処理部から入力された前記第１移動通信システム用送信無線周波数信号の電力レベルを調整するように構成されている電力レベル調整部と、前記電力レベル調整部から出力された前記第１移動通信システム用送信無線周波数信号と、前記第２移動通信システム用送受信処理部から出力された前記第２移動通信システム用送信無線周波数信号とを合成して送信無線周波数信号を生成するように構成されている合成部と、前記合成部から出力された前記送信無線周波数信号の電力レベルを所定増幅率で増幅して出力するように構成されている共通増幅部とを具備し、前記第１移動通信システム用送受信処理部は、前記共用送受信装置内に設けられていないことを要旨とする。
【００１６】
かかる発明によれば、第１移動通信システム用送受信処理部ＴＲＸ-Ａが、共用ＯＦ-ＴＲＸ内に設けられていないため、様々な種類の光信号の形態が存在している場合や、第１移動通信システム用送受信処理部ＴＲＸ-Ａを含む第１移動通信システム用変復調機能部ＭＤＥ-Ａの構成も考えられる場合であっても、様々な種類の共用ＯＦ-ＴＲＸを準備する必要がない。
【００１７】
また、かかる発明によれば、第１移動通信システム用送受信処理部ＴＲＸ-Ａが、第１移動通信システム用変復調機能部ＭＤＥ-Ａ内に含まれている構成において、共通増幅部ＰＡが、第２移動通信システムに合った性能である場合、既存の第１移動通信システム用変復調機能部ＭＤＥ-Ａを改修することなく、適切な電力レベルで（すなわち、第１移動通信システムが単独で運用されていたときの第１移動通信システムＡ無線周波数信号の電力レベルで）、第１移動通信システム用無線周波数信号を出力することができる。
【００１８】
本発明の第１の特徴において、前記第２移動通信システム用送受信処理部は、前記電力レベル調整部から出力される前記第１移動通信システム用送信無線周波数信号の電力レベルと等しくなるように、前記第２移動通信システム用送信無線周波数信号の電力レベルを調整するように構成されていてもよい。
【００１９】
かかる発明によれば、第１移動通信システム及び第２移動通信システムの双方において、各無線基地局装置によってカバーされるエリアを等しく保ち、サービスエリア全体に亘って高いサービス品質を保つことができる。
【００２０】
本発明の第１の特徴において、前記共用送受信装置は、前記電力レベル調整部と前記合成部との間に、第１アイソレータを具備し、前記第２移動通信システム用送受信処理部と前記合成部との間に、第２アイソレータを具備し、前記第１アイソレータは、前記電力レベル調整部から前記合成部への方向の信号のみを通過させるように構成されており、前記第２アイソレータは、前記第２移動通信システム用送受信処理部から前記合成部への方向の信号のみを通過させるように構成されていてもよい。
【００２１】
かかる発明によれば、合成部ＣＯＭに入力された移動通信システムＡ用送信無線周波数信号が、合成部ＣＯＭの望ましくない特性によって、移動通信システムＢ用送受信処理部ＴＲＸ-Ｂの方向に流れてしまうという事態を回避することができ、また、合成部ＣＯＭに入力された移動通信システムＢ用送信無線周波数信号が、合成部ＣＯＭの望ましくない特性によって、移動通信システムＡ用送受信処理部ＴＲＸ-Ａの方向に流れてしまうという事態を回避することができる。
【００２２】
本発明の第１の特徴において、前記共用送受信装置は、少なくとも２系統の前記第２移動通信システム用送受信処理部と前記電力レベル調整部と前記合成部と前記共通増幅部とを具備してもよい。
【発明の効果】
【００２３】
以上説明したように、本発明によれば、既存の無線基地局装置１によって移動通信システムＡ及び移動通信システムＢの双方においてサービスを提供する場合であっても、最低限の改修によって、上述のようなサービス品質が低下すること及び共用ＯＦ-ＴＲＸのバリエーションが増えることによるコストアップが非常に大きくなることという問題点を解決することができる無線基地局装置を提供することができる。
【発明を実施するための最良の形態】
【００２４】
（本発明の第１の実施形態に係る無線基地局装置の構成）
図１を参照して、本発明の第１の実施形態に係る無線基地局装置１の構成について説明する。
【００２５】
かかる無線基地局装置１は、移動通信システムＡ（第１移動通信システム）及び移動通信システムＢ（第２移動通信システム）の双方に対してサービスを提供するように構成されている。
【００２６】
例えば、本実施形態に係る無線基地局装置１は、移動通信システムＡとして、Ｗ-ＣＤＭＡ方式の移動通信システムに対してサービスを提供し、移動通信システムＢとして、ＬＴＥ（Ｌｏｎｇ  Ｔｅｒｍ  Ｅｖｏｌｕｔｉｏｎ）方式の移動通信システムに対してサービスを提供するように構成されていてもよい。
【００２７】
また、本実施形態に係る無線基地局装置１は、移動通信システムＡとして、ＨＳＰＡ（Ｈｉｇｈ  Ｓｐｅｅｄ  Ｐａｃｋｅｔ  Ａｃｃｅｓｓ）方式の移動通信システムに対してサービスを提供し、移動通信システムＢとして、ＬＴＥ方式の移動通信システムに対してサービスを提供するように構成されていてもよい。
【００２８】
また、本実施形態に係る無線基地局装置１は、移動通信システムＡとして、ＥＶＤＯ（Ｅｖｏｌｕｔｉｏｎ  Ｄａｔａ  Ｏｎｌｙ）方式の移動通信システムに対してサービスを提供し、移動通信システムＢとして、ＵＭＢ（Ｕｌｔｒａ  Ｍｏｂｉｌｅ  Ｂｒｏａｄｂａｎｄ）方式の移動通信システムに対してサービスを提供するように構成されていてもよい。  具体的には、図１に示すように、かかる無線基地局装置１は、移動通信システムＡ用変復調機能部ＭＤＥ-Ａと、移動通信システムＡ用送信処理部ＴＲＸ-Ａと、移動通信システムＡ用信号変換部Ｅ/Ｏと、移動通信システムＢ用変復調機能部ＭＤＥ-Ｂと、共用光張出し送受信装置（共用ＯＦ-ＴＲＸ）と、アンテナＡＮＴとを具備している。
【００２９】
なお、移動通信システムＡ用変復調機能部ＭＤＥ-Ａ及び移動通信システムＡ用変復調機能部ＭＤＥ-Ｂは、屋内の局舎に設置されており、アンテナＡＮＴは、屋外の高所に設置されており、移動通信システムＡ用送受信処理部ＴＲＸ-Ａ、移動通信システムＡ用信号変換部Ｅ/Ｏ及び共用ＯＦ-ＴＲＸは、屋外のアンテナＡＮＴの直下付近に設置されているものとする。
【００３０】
アンテナＡＮＴは、移動局（図示せず）との間で、無線周波数信号を送受信するように構成されている。
【００３１】
移動通信システムＡ用変復調機能部ＭＤＥ-Ａ及び移動通信システムＢ用変復調機能部ＭＤＥ-Ｂは、送受信信号に対する変復調処理を行うように構成されている機能を具備している。
【００３２】
ここで、移動通信システムＡ用変復調機能部ＭＤＥ-Ａは、移動通信システムＡ用信号変換部Ｅ/Ｏとの間で、光デジタル信号の形態で送受信信号を送受信するように構成されている。
【００３３】
また、移動通信システムＢ用変復調機能部ＭＤＥ-Ｂは、共用ＯＦ-ＴＲＸとの間で、光デジタル信号の形態で送受信信号を送受信するように構成されている。
【００３４】
移動通信システムＡ用信号変換部Ｅ/Ｏは、移動通信システムＡ用変復調機能部ＭＤＥ-Ａから出力された移動通信システムＡ用送信ベースバンド信号を、光信号から電気信号に変換するように構成されている。
【００３５】
移動通信システムＡ用送受信処理部ＴＲＸ-Ａ（第１移動通信システム用送受信処理部）は、移動通信システムＡ用受信無線周波数信号（第１移動通信システム用受信無線周波数信号）を低周波数に変換し、移動通信システムＡ用送信ベースバンド信号（第１移動通信システム用送信ベースバンド信号）を高周波数に変換するように構成されている。
【００３６】
ここで、移動通信システムＡ用送受信処理部ＴＲＸ-Ａは、共用ＯＦ-ＴＲＸとの間で、無線周波数信号を送受信するように構成されている。
【００３７】
また、移動通信システムＡ用送受信処理部ＴＲＸ-Ａは、送受信信号を多重・分離するように構成されている。
【００３８】
共用ＯＦ-ＴＲＸは、送受共用部ＤＵＰと、低雑音増幅部ＬＮＡと、分配部ＤＩＶと、共通増幅部ＰＡと、合成部ＣＯＭと、電力レベル調整部ＶＡと、移動通信システムＢ用送受信処理部ＴＲＸ-Ｂ（第２移動通信システム用送受信処理部）と、信号変換部Ｅ/Ｏとを具備している。
【００３９】
信号変換部Ｅ/Ｏは、移動通信システムＢ用変復調機能部ＭＤＥ-Ｂから光ファイバを介して受信した移動通信システムＢ用送信ベースバンド信号を、光信号から電気信号に変換して、移動通信システムＢ用送受信処理部ＴＲＸ-Ｂに対して出力するように構成されている。
【００４０】
また、信号変換部Ｅ/Ｏは、移動通信システムＢ用送受信処理部ＴＲＸ-Ｂ（第２移動通信システム用送受信処理部）から出力された移動通信システムＢ用送信ベースバンド信号を、電気信号から光信号に変換して、光ファイバを介して移動通信システムＢ用変復調機能部ＭＤＥ-Ｂに対して出力するように構成されている。
【００４１】
移動通信システムＢ用送受信処理部ＴＲＸ-Ｂは、入力された移動通信システムＢ用送信ベースバンド信号（第２移動通信システム用送信ベースバンド信号）に対する周波数変換処理を行い、移動通信システムＢ用送信無線周波数信号（第２移動通信システム用送信無線周波数信号）を出力するように構成されている。
【００４２】
また、移動通信システムＢ用送受信処理部ＴＲＸ-Ｂは、入力された移動通信システムＢ用受信無線周波数信号（第２移動通信システム用受信無線周波数信号）に対する周波数変換処理を行い、移動通信システムＢ用受信ベースバンド信号（第２移動通信システム用受信ベースバンド信号）を出力するように構成されている。
【００４３】
また、移動通信システムＢ用送受信処理部ＴＲＸ-Ｂは、移動通信システムＢ用送信無線周波数信号の電力レベルを微調整することによって、移動通信システムＢによってサービスが提供されるエリアを微調整する機能を具備していてもよい。
【００４４】
例えば、移動通信システムＢ用送受信処理部ＴＲＸ-Ｂは、電力レベル調整部ＶＡから出力される移動通信システムＡ用送信無線周波数信号の電力レベルと等しくなるように、移動通信システムＢ用送信無線周波数信号の電力レベルを調整するように構成されていてもよい。
【００４５】
電力レベル調整部ＶＡは、移動通信システムＡ用送受信処理部ＴＲＸ-Ａから出力された移動通信システムＡ用送信無線周波数信号の電力レベルを調整するように構成されている。
【００４６】
ここで、電力レベル調整部ＶＡは、複数種類存在する移動通信システムＡ用変復調機能部ＭＤＥ-Ａから出力される移動通信システムＡ用送信無線周波数信号の電力レベルのうち、最も低い電力レベルに合わせるように、移動通信システムＡ用送信無線周波数信号の電力レベルを調整するものとする。
【００４７】
合成部ＣＯＭは、電力レベル調整部ＶＡから出力された移動通信システムＡ用送信無線周波数信号と、移動通信システムＢ用送受信処理部ＴＲＸ-Ｂから出力された移動通信システムＢ用送信無線周波数信号とを合成して送信無線周波数信号を生成するように構成されている。
【００４８】
ここで、合成部ＣＯＭにおいて、移動通信システムＡ用送信無線周波数信号の電力レベル及び移動通信システムＢ用送信無線周波数信号の電力レベルは、共に、半分以下に減衰してしまう。
【００４９】
共通増幅部ＰＡは、合成部ＣＯＭから出力された送信無線周波数信号の電力レベルを所定増幅率で増幅して、送受共用部ＤＵＰに対して出力するように構成されている。すなわち、共通増幅部ＰＡにおいて、合成部ＣＯＭにおける電力レベルの減衰分が補償されることになる。
【００５０】
送受共用部ＤＵＰは、アンテナＡＮＴを介して受信された受信無線周波数信号とアンテナを介して送信する送信無線周波数信号を分離・多重するように構成されている。
【００５１】
また、送受共用部ＤＵＰは、アンテナＡＮＴを介して、共通増幅部ＰＡから出力された送信無線周波数信号を、移動局に対して送信するように構成されている。
【００５２】
さらに、送受共用部ＤＵＰは、アンテナＡＮＴを介して、移動局から受信した受信無線周波数信号を、ＬＮＡへ出力するように構成されている。
【００５３】
分配部ＤＩＶは、低雑音増幅部ＬＮＡから受信した受信無線周波数信号を、移動通信システムＡ用受信無線周波数信号と移動通信システムＢ用受信無線周波数信号とに分配し、それぞれ移動通信システムＡ用送受信処理部ＴＲＸ-Ａ及び移動通信システムＢ用送受信処理部ＴＲＸ-Ｂに出力するように構成されている。
【００５４】
ここで、分配部ＤＩＶから出力される移動通信システムＡ用受信無線周波数信号及び移動通信システムＢ用受信無線周波数信号の電力レベルは、受信無線周波数信号の電力レベルの半分以下である。
【００５５】
低雑音増幅部ＬＮＡは、アンテナＡＮＴで受信された弱い電力レベルの受信無線周波数信号を低雑音で増幅するように構成されている。
【００５６】
なお、低雑音増幅部ＬＮＡは、分配部ＤＩＶから出力される移動通信システムＡ用無線周波数信号及び移動通信システムＢ用無線周波数信号の電力レベルが、無線基地局装置１が移動通信システムＡのみに対してサービスを提供していたときの移動通信システムＡ用受信信号の電力レベルと同じになるように、受信した無線周波数信号の電力レベルを増幅することができる。ここで、低雑音増幅部ＬＮＡは、複数の増幅器によって構成されていてもよい。
【００５７】
本実施形態では、無線基地局装置１が、２つの異なる移動通信システムＡ及びＢに対してサービスを提供するように構成されていたが、本発明は、かかる場合に限定されるものではなく、３つ以上の異なる移動通信システムに対してサービスを提供することができる無線基地局装置１に対しても適用可能である。かかる場合、分配部ＤＩＶにおける出力分岐の数及び合成部ＣＯＭにおける入力分岐の数を増やすことによって対応することができる。
【００５８】
（本発明の第１の実施形態に係る無線基地局装置１の作用・効果）
本発明の第１の実施形態に係る無線基地局装置１によれば、移動通信システムＡ用送受信処理部ＴＲＸ-Ａが、共用ＯＦ-ＴＲＸ内に設けられていないため、様々な種類の光信号の形態が存在している場合や、移動通信システムＡ用送受信処理部ＴＲＸ-Ａを含む移動通信システムＡ用変復調機能部ＭＤＥ-Ａの構成も考えられる場合であっても、様々な種類の共用ＯＦ-ＴＲＸを準備する必要がない。
【００５９】
また、本発明の第１の実施形態に係る無線基地局装置１によれば、共通増幅部ＰＡが、移動通信システムＢに合った性能である場合において、適切な電力レベルで（すなわち、移動通信システムＡが単独で運用されていたときの移動通信システムＡ用無線周波数信号の電力レベルで）、移動通信システムＡ用無線周波数信号を出力することができる。
【００６０】
本発明の第１の実施形態に係る無線基地局装置１によれば、移動通信システムＡ及び移動通信システムＢの双方において、各無線基地局装置によってカバーされるエリアを等しく保ち、サービスエリア全体に亘って高いサービス品質を保つことができる。
【００６１】
すなわち、本発明の第１の実施形態に係る無線基地局装置１によれば、両移動通信システムにおいて、異なる無線基地局装置１によってカバーされるエリアが重なり合うことによって、セル間干渉が増加し、結果的に、サービスエリアが縮小することや、各エリア端において電波が届かずにサービスを提供することができないという事態が発生することを防止することができる。
【００６２】
（変更例１）
上述の第１の実施形態に係る無線基地局装置は、図５に示すように、上述の移動通信システムＡ用送受信処理部ＴＲＸ-Ａを、移動通信システムＡ用変復調機能部ＭＤＥ-Ａ内に設けるように構成されていてもよい。
【００６３】
なお、図５に示す例では、移動通信システムＡ用変復調機能部ＭＤＥ-Ａと共用ＯＦ-ＴＲＸとの間で、電気信号の形態で無線周波数信号が送受信されるため、両者は近接して設けられているものとする。
【００６４】
かかる構成では、上述の第１の実施形態において移動通信システムＡ用変復調機能部ＭＤＥ-Ａ内に設けられていた信号変換部Ｅ/Ｏ及び移動通信システムＡ用変復調機能部ＭＤＥ-Ａ外に設けられていた信号変換部Ｅ/Ｏは不要となる。
【００６５】
そして、移動通信システムＡ用変復調機能部ＭＤＥ-Ａと共用ＯＦ-ＴＲＸとの間では、電気信号の形態で移動通信システム用無線周波数信号が送受信される。
【００６６】
本変更例に係る無線基地局装置１によれば、電力レベル調整部ＶＡが、移動通信システムＡ用送受信処理部ＴＲＸ-Ａから出力された移動通信システムＡ用送信無線周波数信号の電力レベルを調整することができるため、既存の移動通信システムＡ用送受信処理部ＴＲＸ-Ａを改修することなく、適切な電力レベルで（すなわち、移動通信システムＡが単独で運用されていたときの移動通信システムＡ用無線周波数信号の電力レベルで）、移動通信システムＡ用送信信号を出力することができる。
【００６７】
（本発明の第２の実施形態に係る無線基地局装置）
次に、図２を参照して、本発明の第２の実施形態に係る無線基地局装置１について、上述の第２の実施形態に係る無線基地局装置１との相違点を主として説明する。
【００６８】
図２に示すように、本実施形態に係る無線基地局装置１の構成は、共用ＯＦ-ＴＲＸにおいて、第１アイソレータＩＳＯ＃１及び第２アイソレータＩＳＯ＃２が設けられている点を除いて、上述の第１の実施形態に係る無線基地局装置１の構成と同一である。
【００６９】
具体的には、第１アイソレータＩＳＯ＃１は、電力レベル調整部ＶＡと合成部ＣＯＭとの間に設けられており、電力レベル調整部ＶＡから合成部ＣＯＭへの方向の信号のみを通過させるように構成されている。
【００７０】
また、第２アイソレータＩＳＯ＃２は、移動通信システムＢ用送受信処理部ＴＲＸ-Ｂと合成部ＣＯＭとの間に設けられており、移動通信システムＢ用送受信処理部ＴＲＸ-Ｂから合成部ＣＯＭへの方向の信号のみを通過させるように構成されている。
【００７１】
本実施形態に係る無線基地局装置１によれば、合成部ＣＯＭに入力された移動通信システムＡ用受信無線周波数信号が、合成部ＣＯＭの望ましくない特性によって、移動通信システムＢ用送受信処理部ＴＲＸ-Ｂの方向に流れてしまうという事態を回避することができ、また、合成部ＣＯＭに入力された移動通信システムＢ用受信無線周波数信号が、合成部ＣＯＭの望ましくない特性によって、移動通信システムＡ用送受信処理部ＴＲＸ-Ａの方向に流れてしまうという事態を回避することができる。
【００７２】
なお、合成部ＣＯＭに入力された移動通信システムＡ用受信無線周波数信号が、合成部ＣＯＭの望ましくない特性によって、共通増幅部ＰＡの方向ではなく、移動通信システムＢ用送受信処理部ＴＲＸ-Ｂの方向に流れてしまうと、移動通信システムＢ用送受信処理部ＴＲＸ-Ｂに悪影響を与え、無線基地局装置１が正常に動作しなくなる可能性がある。
【００７３】
また、合成部ＣＯＭに入力された移動通信システムＢ用受信無線周波数信号が、合成部ＣＯＭの望ましくない特性によって、共通増幅部ＰＡの方向ではなく、移動通信システムＡ用送受信処理部ＴＲＸ-Ａの方向に流れてしまう場合も同様である。
【００７４】
（変更例２）
上述の第２の実施形態に係る無線基地局装置は、図６に示すように、上述の移動通信システムＡ用送受信処理部ＴＲＸ-Ａを、移動通信システムＡ用変復調機能部ＭＤＥ-Ａ内に設けるように構成されていてもよい。
【００７５】
なお、図６に示す例では、移動通信システムＡ用変復調機能部ＭＤＥ-Ａと共用ＯＦ-ＴＲＸとの間で、電気信号の形態で無線周波数信号が送受信されるため、両者は近接して設けられているものとする。
【００７６】
かかる構成では、上述の第２の実施形態において移動通信システムＡ用変復調機能部ＭＤＥ-Ａ内に設けられていた信号変換部Ｅ/Ｏ及び移動通信システムＡ用変復調機能部ＭＤＥ-Ａ外に設けられていた信号変換部Ｅ/Ｏは不要となる。
【００７７】
そして、移動通信システムＡ用変復調機能部ＭＤＥ-Ａと共用ＯＦ-ＴＲＸとの間では、電気信号の形態で移動通信システム用無線周波数信号が送受信される。
【００７８】
（本発明の第３の実施形態に係る無線基地局装置）
次に、図３を参照して、本発明の第３の実施形態に係る無線基地局装置１について、上述の第１の実施形態に係る無線基地局装置１との相違点を主として説明する。
【００７９】
図３に示すように、本実施形態に係る無線基地局装置１の構成は、共用ＯＦ-ＴＲＸが、少なくとも２系統の送信用構成及び受信用構成を具備する点を除いて、上述の第１の実施形態に係る無線基地局装置１の構成と同一である。
【００８０】
具体的には、本実施形態に係る無線基地局装置１は、２つのアンテナＡＮＴ＃１、ＡＮＴ＃２と、共用ＯＦ-ＴＲＸと、２つの移動通信システムＡ用送受信処理部ＴＲＸ-Ａ＃１、ＴＲＸ-Ａ＃２と、移動通信システムＡ用信号変換部Ｅ/Ｏと、移動通信システムＡ用変復調機能部ＭＤＥ-Ａと、移動通信システムＢ用変復調機能部ＭＤＥ-Ｂとを具備している。
【００８１】
また、共用ＯＦ-ＴＲＸは、２つの送受共用部ＤＵＰ＃１、ＤＵＰ＃２と、２つの低雑音増幅部ＬＮＡ＃１、ＬＮＡ＃２と、２つの分配部ＤＩＶ＃１、ＤＩＶ＃２と、２つの共通増幅部ＰＡ＃１、ＰＡ＃２と、２つの合成部ＣＯＭ＃１、ＣＯＭ＃２と、２つの電力レベル調整部ＶＡ＃１、ＶＡ＃２と、２つの移動通信システムＢ用送受信処理部ＴＲＸ-Ｂ＃１、ＴＲＸ-Ｂ＃２と、信号変換部Ｅ/Ｏとを具備している。
【００８２】
ここで、図３において、「＃１」が付与されている構成を「第１系統」とし、「＃２」が付与されている構成を「第２系統」とする。また、「第１系統」の送信用構成及び受信用構成の機能と、「第２系統」の送信用構成及び受信用構成の機能とは、基本的に同一であるため、各構成についての説明は省略する。
【００８３】
なお、本実施形態では、２つの移動通信システムに対してサービスを提供可能な無線基地局装置１について説明したが、本発明は、かかる場合に限定されず、３つ以上の移動通信システムに対してサービスを提供可能な無線基地局装置１に対しても適用可能である。
【００８４】
（変更例３）
上述の第３の実施形態に係る無線基地局装置は、図７に示すように、上述の移動通信システムＡ用送受信処理部ＴＲＸ-Ａ＃１、ＴＲＸ-Ａ＃２を、移動通信システムＡ用変復調機能部ＭＤＥ-Ａ内に設けるように構成されていてもよい。
【００８５】
なお、図７に示す例では、移動通信システムＡ用変復調機能部ＭＤＥ-Ａと共用ＯＦ-ＴＲＸとの間で、電気信号の形態で無線周波数信号が送受信されるため、両者は近接して設けられているものとする。
【００８６】
かかる構成では、上述の第３の実施形態において移動通信システムＡ用変復調機能部ＭＤＥ-Ａ内に設けられていた信号変換部Ｅ/Ｏ及び移動通信システムＡ用変復調機能部ＭＤＥ-Ａ外に設けられていた信号変換部Ｅ/Ｏは不要となる。
【００８７】
そして、移動通信システムＡ用変復調機能部ＭＤＥ-Ａと共用ＯＦ-ＴＲＸとの間では、電気信号の形態で移動通信システム用無線周波数信号が送受信される。
【００８８】
（本発明の第４の実施形態に係る無線基地局装置）
次に、図４を参照して、本発明の第４の実施形態に係る無線基地局装置１について、上述の第３の実施形態に係る無線基地局装置１との相違点を主として説明する。
【００８９】
図４に示すように、本実施形態に係る無線基地局装置１の構成は、共用ＯＦ-ＴＲＸにおいて、上述の第２の実施形態と同様に、第１アイソレータＩＳＯ＃１１、＃１２及び第２アイソレータＩＳＯ＃２１、＃２２が設けられている点を除いて、上述の第３の実施形態に係る無線基地局装置１の構成と同一である。
【００９０】
（変更例４）
上述の第４の実施形態に係る無線基地局装置は、図８に示すように、上述の移動通信システムＡ用送受信処理部ＴＲＸ-Ａ＃１、ＴＲＸ-Ａ＃２を、移動通信システムＡ用変復調機能部ＭＤＥ-Ａ内に設けるように構成されていてもよい。
【００９１】
なお、図８に示す例では、移動通信システムＡ用変復調機能部ＭＤＥ-Ａと共用ＯＦ-ＴＲＸとの間で、電気信号の形態で無線周波数信号が送受信されるため、両者は近接して設けられているものとする。
【００９２】
かかる構成では、上述の第４の実施形態において移動通信システムＡ用変復調機能部ＭＤＥ-Ａ内に設けられていた信号変換部Ｅ/Ｏ及び移動通信システムＡ用変復調機能部ＭＤＥ-Ａ外に設けられていた信号変換部Ｅ/Ｏは不要となる。
【００９３】
そして、移動通信システムＡ用変復調機能部ＭＤＥ-Ａと共用ＯＦ-ＴＲＸとの間では、電気信号の形態で移動通信システム用無線周波数信号が送受信される。
【００９４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００９５】
【図１】本発明の第１の実施形態に係る無線基地局装置の概略構成図である。
【図２】本発明の第２の実施形態に係る無線基地局装置の概略構成図である。
【図３】本発明の第３の実施形態に係る無線基地局装置の概略構成図である。
【図４】本発明の第４の実施形態に係る無線基地局装置の概略構成図である。
【図５】本発明の第１の実施形態に係る無線基地局装置の変更例の概略構成図である。
【図６】本発明の第２の実施形態に係る無線基地局装置の変更例の概略構成図である。
【図７】本発明の第３の実施形態に係る無線基地局装置の変更例の概略構成図である。
【図８】本発明の第４の実施形態に係る無線基地局装置の変更例の概略構成図である。
【図９】従来の無線基地局装置の概略構成図である。
【図１０】従来の無線基地局装置の概略構成図である。
【符号の説明】
【００９６】
１…無線基地局装置
ＡＮＴ…アンテナ
共用ＯＦ-ＴＲＸ…共用光張出し送受信装置
ＤＵＰ…送受共用部
ＬＮＡ…低雑音増幅部
ＤＩＶ…分配部
ＰＡ…共通増幅部
ＣＯＭ…合成部
ＶＡ…電力レベル調整部
ＭＤＥ-Ａ…移動通信システムＡ用変復調機能部
ＴＲＸ-Ａ…移動通信システムＡ用送受信処理部
ＭＤＥ-Ｂ…移動通信システムＢ用変復調機能部
ＴＲＸ-Ｂ…移動通信システムＢ用送受信処理部
Ｅ/Ｏ…信号変換部
ＩＳＯ…アイソレータ
【図１】
0004937031.tif 000002
【図２】
0004937031.tif 000003
【図３】
0004937031.tif 000004
【図４】
0004937031.tif 000005
【図５】
0004937031.tif 000006
【図６】
0004937031.tif 000007
【図７】
0004937031.tif 000008
【図８】
0004937031.tif 000009
【図９】
0004937031.tif 000010
【図１０】
0004937031.tif 000011